(57)【要約】【課題】  試料測定を行なう測定手段と、前記測定手段による測定操作を制御し、前記測定手段より得られたデータを処理し、前記制御および前記処理に必要なパラメータを保存する制御手段と、前記パラメータの表示・入力を行なう表示・入力手段と、を備えた分析装置における、前記制御手段に保存されたパラメータの不適切な変更を回避し、かつ当該パラメータの変更作業の操作性を向上させる方法を提供すること。【解決手段】  前記制御手段に保存されたパラメータの変更を、表示・入力手段で入力したパラメータとあらかじめ制御手段に保存したパラメータとを比較し、当該二つのパラメータが異なる場合は前記表示・入力手段により前記パラメータを強調表示し、前記強調表示されたパラメータを確認して変更することにより、前記課題を解決する。【選択図】  図２
2013148528.tif 000002
【特許請求の範囲】
【請求項１】
試料測定を行なう測定手段と、
前記測定手段による測定操作を制御し、前記測定手段より得られたデータを処理し、前記制御および前記処理に必要なパラメータを保存する制御手段と、
前記パラメータの表示・入力を行なう表示・入力手段と、
を備えた分析装置における、前記制御手段に保存された前記パラメータの変更方法であって、
前記表示・入力手段で入力した前記パラメータとあらかじめ前記制御手段に保存した前記パラメータとを比較し、
当該二つのパラメータが異なる場合は前記表示・入力手段により前記パラメータを強調表示し、
前記強調表示されたパラメータを確認することで、
前記パラメータを変更する方法。
【請求項２】
前記強調表示されたパラメータを前記表示・入力手段で選択し、当該選択したパラメータについて個別に変更の取消が可能な、請求項１に記載の方法。
【請求項３】
前記強調表示されたパラメータを確認することで、前記パラメータを一括で変更可能な、請求項１または２に記載の方法。
【請求項４】
試料測定を行なう測定手段と、
前記測定手段による測定操作を制御し、前記測定手段より得られたデータを処理し、前記制御および前記処理に必要なパラメータを保存する制御手段と、
前記パラメータの表示・入力を行なう表示・入力手段と、
を備えた分析装置であって、前記制御手段が、
前記パラメータを保存するパラメータ保存部と、
前記パラメータを変更するために前記表示・入力手段で入力したパラメータを一時的に記憶するパラメータ記憶部と、
前記パラメータ記憶部に記憶されたパラメータと前記パラメータ保存部に保存されているパラメータとを比較するパラメータ比較部と、
を設け、かつ前記パラメータ比較部が変更前後の前記二つのパラメータが異なると判定した場合、前記表示・入力手段に当該パラメータの強調表示を指示する制御手段である、
前記分析装置。
【請求項５】
前記制御手段が、さらに、
前記表示・入力手段で前記強調表示された箇所を選択した場合、前記表示・入力手段に変更前後の前記二つのパラメータの表示を指示し、
前記表示・入力手段で前記強調表示された箇所を選択し、当該選択したパラメータの変更を取消した場合、前記表示・入力手段に前記強調表示の無効を指示し、
前記強調表示されたパラメータを確認した場合、前記パラメータ記憶部に記憶されたパラメータを一括して前記パラメータ保存部に保存する、制御手段である、
請求項４に記載の分析装置。
【発明の詳細な説明】
【技術分野】
【０００１】
本発明は分析装置での測定や当該測定で得られたデータの処理に必要なパラメータを変更する方法、および当該方法を利用した分析装置に関する。
【背景技術】
【０００２】
複数の検査項目を測定可能な分析装置には、検査項目に応じた測定条件での測定や当該測定で得られたデータの処理のために、反応時間、検体量、希釈倍率、検査の参考基準値、再検査の判断基準値、標準液の濃度、検量線の回帰式、検量線の有効濃度範囲、検量線の有効期限といった多くのパラメータを必要とする。当該パラメータは通常、ユーザ権限に応じて編集可能な範囲が設定されている。例えば、ユーザ権限として管理者（スーパーユーザ）権限と測定者（オペレータ）権限がある場合、オペレータ権限では希釈倍率、検査の参考基準値、再検査の判断基準値、検量線の有効範囲に関してはこれらを閲覧する権限のみ与えられ、スーパーユーザ権限ではそれらのパラメータを変更する権限が与えられる。
【発明の概要】
【発明が解決しようとする課題】
【０００３】
前述した分析装置を検査施設に導入・設置する際、装置の出荷時設定値に代えて、導入・設置した検査施設が定めた参考基準値を登録する場合がある。また、標準液や精度管理試料のロット変更にともない、濃度値を変更する場合もある。このように、当該分析装置においてパラメータを複数変更する必要がしばしば発生する。
【０００４】
従来の分析装置では、パラメータを変更した際、そのつど操作画面に警告ダイアログを出し、ユーザに当該変更の許可・不許可を確認させる構成を採用していた。しかしながら、パラメータを複数変更する場合、当該確認作業は煩雑かつ時間のかかる作業となり、ユーザに負担がかかった。一方、警告ダイアログによる警告および当該確認作業のプロセスを回避する構成を採用すると、ユーザが意図せずに変更したパラメータが分析装置に登録される可能性があり、当該パラメータにより分析装置が誤動作・誤判定するおそれがあった。さらに従来の分析装置では、パラメータの変更作業中に当該作業を中断後、再開する際、中断時における当該作業の進捗状況を、速やかに把握するのが困難であり、場合によっては、あらかじめ紙等に記録した変更前後のパラメータ値と、操作画面上にあるパラメータ値とを照合する作業をする必要があった。
【０００５】
そこで本発明の目的は、分析装置による測定や当該測定により得られたデータの処理に必要なパラメータの不適切な変更を回避し、かつ当該パラメータの変更作業の操作性を向上させることにある。
【課題を解決するための手段】
【０００６】
前記目的を達成するためになされた本発明の第一の態様は、
試料測定を行なう測定手段と、
前記測定手段による測定操作を制御し、前記測定手段より得られたデータを処理し、前記制御および前記処理に必要なパラメータを保存する制御手段と、
前記パラメータの表示・入力を行なう表示・入力手段と、
を備えた分析装置における、前記制御手段に保存された前記パラメータの変更方法であって、
前記表示・入力手段で入力した前記パラメータとあらかじめ前記制御手段に保存した前記パラメータとを比較し、
当該二つのパラメータが異なる場合は前記表示・入力手段により前記パラメータを強調表示し、
前記強調表示されたパラメータを確認することで、
前記パラメータを変更する方法である。
【０００７】
また本発明の第二の態様は、前記強調表示されたパラメータを前記表示・入力手段で選択し、当該選択したパラメータについて個別に変更の取消が可能な、前記第一の態様に記載の方法である。
【０００８】
また本発明の第三の態様は、前記強調表示されたパラメータを確認することで、前記パラメータを一括で変更可能な、前記第一または第二の態様に記載の方法である。
【０００９】
さらに本発明の第四の態様は、
試料測定を行なう測定手段と、
前記測定手段による測定操作を制御し、前記測定手段より得られたデータを処理し、前記制御および前記処理に必要なパラメータを保存する制御手段と、
前記パラメータの表示・入力を行なう表示・入力手段と、
を備えた分析装置であって、前記制御手段が、
前記パラメータを保存するパラメータ保存部と、
前記パラメータを変更するために前記表示・入力手段で入力したパラメータを一時的に記憶するパラメータ記憶部と、
前記パラメータ記憶部に記憶されたパラメータと前記パラメータ保存部に保存されているパラメータとを比較するパラメータ比較部と、
を設け、かつ前記パラメータ比較部が変更前後の前記二つのパラメータが異なると判定した場合、前記表示・入力手段に当該パラメータの強調表示を指示する制御手段である、
前記分析装置である。
【００１０】
また本発明の第五の態様は、
前記制御手段が、さらに、
前記表示・入力手段で前記強調表示された箇所を選択した場合、前記表示・入力手段に変更前後の前記二つのパラメータの併記表示を指示し、
前記表示・入力手段で前記強調表示された箇所を選択し、当該選択したパラメータの変更を取消した場合、前記表示・入力手段に前記強調表示の無効を指示し、
前記強調表示されたパラメータを確認した場合、前記パラメータ記憶部に記憶されたパラメータを一括して前記パラメータ保存部に保存する、制御手段である、
前記第四の態様に記載の分析装置である。
【発明の効果】
【００１１】
本発明は、試料測定を行なう測定手段と、前記測定手段による測定操作を制御し前記測定手段より得られたデータを処理し前記制御および前記処理に必要なパラメータを保存する制御手段と、前記パラメータの表示・入力を行なう表示・入力手段と、を備えた分析装置において、前記制御手段に保存された前記パラメータを変更する際、前記表示・入力手段で入力した前記パラメータとあらかじめ前記制御手段に保存した前記パラメータとを比較し、当該二つのパラメータが異なる場合は前記表示・入力手段により前記パラメータを強調表示し、前記強調表示されたパラメータを確認することで、前記パラメータを変更することを特徴としている。これにより、個々のパラメータを変更するたびに警告ダイアログを出さずとも、ユーザに変更操作を自覚させることができ、複数のパラメータを変更する必要がある場合であっても、どのパラメータを変更したかが一目で確認することができる。
【００１２】
なお本発明において、前記強調表示されたパラメータを前記表示・入力手段で選択し、当該選択したパラメータについて個別に変更の取消ができるようにすると、個々のパラメータを変更するたびに警告ダイアログを出さずとも、ユーザは、変更操作の適否の確認や原状回復を必要な箇所についてのみ行なうことができるため、好ましいといえる。
【００１３】
また本発明において、前記強調表示されたパラメータを確認することで、前記パラメータを一括で変更できるようにすると、パラメータを複数変更する必要がある場合であっても、全てのパラメータ変更操作を終えた後に、一括して新しいパラメータに変更できるため、好ましいといえる。
【図面の簡単な説明】
【００１４】
【図１】本発明の方法によりパラメータ変更を行なう分析装置の一例を示す図である。
【図２】本発明の方法の一例を示すフローチャートである。
【図３】パラメータ変更操作における、初期画面の一例を示す図である。
【図４】パラメータ変更操作において、パラメータ変更箇所が強調表示された状態の一例を示す図である。
【図５】パラメータ変更操作において、パラメータ一括変更画面の一例を示す図である。
【図６】パラメータ変更操作において、パラメータ変更箇所が強調表示された状態の別の例を示す図である。
【発明を実施するための形態】
【００１５】
本発明の方法によりパラメータ変更を行なう、分析装置の一例を図１に示す。図１に示す分析装置１は、
試料測定を行なう測定手段３０と、
前記測定手段による測定操作の制御、前記測定手段より得られたデータの処理、および前記制御および前記処理に必要なパラメータを保存する制御手段１０と、
前記パラメータの表示・入力を行なう表示・入力手段２０と、
を備えている。図１に示す分析装置に備える制御手段１０には、
前記パラメータを保存する、パラメータ保存部１１と、
パラメータを変更するために表示・入力手段２０に入力した前記パラメータを一時的に記憶する、パラメータ記憶部１２と、
パラメータ保存部１１に保存した前記パラメータと、パラメータ記憶部１２に記憶された前記パラメータとを比較する、パラメータ比較部１３と、
を設けている。図１に示す分析装置に備える表示・入力手段２０には、
前記パラメータを入力するための入力部２１および選択部２２と、
入力部２１で入力した前記パラメータや、パラメータ保存部１１に保存した前記パラメータ等を表示する、表示部２３と、
を設けている。
【００１６】
つぎに、図１に示す分析装置１における、本発明のパラメータ変更方法の一例を、フローチャート（図２）および表示画面（図３から６）を用いて詳細に説明する。
【００１７】
まず、パラメータ保存部１１に保存されたパラメータの、表示部２３への表示を指示する（１５ａ、ステップＳ１）。一例として、図３に、図１の分析装置で測定する項目の一つである、腫瘍マーカーＣＡ１５−３（＃１５−３と略記）の測定等に必要なパラメータを表示した画面を示す。なお図３の画面右下には、選択部２２としてのＯＫボタン２２ａおよびキャンセルボタン２２ｂを設けているが、当該登録パラメータの変更は行なわず、確認のみ行なう場合は、いずれのボタンを押下しても、ステップＳ２０の「いいえ」に移行しパラメータ変更操作を終了する。
【００１８】
図３の画面右下に設けたＯＫボタン２２ａおよびキャンセルボタン２２ｂを押下せず（ステップＳ２で「いいえ」を選択し）、かつパラメータ入力（変更）を実行する（ステップＳ３で「はい」を選択する）と、表示部２３に入力値が表示されるとともに、入力部２１で入力（変更）したパラメータが受付けられ（１５ｂ）、パラメータ記憶部１２に一時記憶される（ステップＳ４）。
【００１９】
入力部で入力したパラメータの値が、パラメータ保存部１１に保存されたパラメータの値と等しいか（すなわち変更前後のパラメータ値が等しいか否か）をチェックする（ステップＳ５）。パラメータの変更がない場合はステップＳ２に戻る。一方、パラメータの変更があった場合は変更箇所を強調表示するよう表示部２３へ指示する（１５ｃ、ステップＳ６）。変更箇所を強調表示した画面の一例を図４に示す。図４では背景色を変化させることで、パラメータ変更箇所を強調表示２３ａしている。なおパラメータを変更した箇所とパラメータを変更しない箇所との識別が明確である限り、強調表示する方法に限定はなく、一例として表示領域の背景色、文字色、文字の太さ、フォント種別、フォントサイズの変更やその他文字飾り、さらにアニメーションの利用があげられる。
【００２０】
強調表示した箇所（パラメータ変更箇所）にマウスやタッチペン等のポインティングデバイスのカーソル２２ｃを合わせる（ステップＳ７）という選択操作を行なうと、変更前後のパラメータ値を含むガイドが表示部２３に表示される（１５ｄ、ステップＳ８）。なお、ステップＳ７でカーソル２２ｃを合わせなかった場合（「いいえ」の場合）は、ステップＳ２に移行し、パラメータ変更操作を続行する。表示部２３に表示されたガイド画面２３ｂは、変更前後のパラメータ値を対比（併記）する形で表示するので、変更操作の正否をユーザが容易に確認することができる（図４）。またガイド画面２３ｂには、キャンセルボタン２２ｂを設けており、ユーザにてパラメータ変更の取消を容易に実行できる（ステップＳ９）。
【００２１】
ガイド画面２３ｂ中のキャンセルボタン２２ｂを押下する（ステップＳ９で「はい」を選択する）と、パラメータ変更の取消を指示（１５ｅ）し、パラメータ記憶部１２に記憶された前記パラメータが消去（ステップＳ１０）され、変更前のパラメータ値に戻った（ステップＳ１１）後、強調表示を無効（ステップＳ１２）にし、表示部２３に表示されたガイドを消去（ステップＳ１３）する。一方、ステップＳ７またはＳ９で「いいえ」を選択した場合は、パラメータを変更した箇所が強調表示されたままステップＳ２に戻る（図５）。
【００２２】
図５の画面右下に設けたＯＫボタン２２ａを押下する（ステップＳ２からステップＳ２０に移行し「はい」が選択される）と、パラメータ一括変更画面２３ｃが表示される（ステップＳ２１）。ここでＯＫボタン２１ａを押下する確認操作を行なう（ステップＳ２１で「はい」を選択する）と、パラメータの一括変更が指示され（１５ｆ）、各変更値がパラメータ保存部１１に保存される（ステップＳ２２）。一方、パラメータ記憶部１２に記憶されている当該パラメータは、次回のパラメータ変更に備え、消去される（ステップＳ２３）。なおステップＳ２０でキャンセルボタン２２ｂが押下された場合は、それまでの変更操作にかかわらず、変更前のパラメータ値に戻された状態で変更操作を終了する。またステップＳ２１で「いいえ」を選択した場合（キャンセルボタン２２ｂを押下した場合）は、ステップＳ２に戻りパラメータ変更操作を続行する。
【００２３】
図１に示す分析装置１における、本発明のパラメータ変更方法の別の例を、図６に示す表示画面を用いて説明する。図６は分析装置１の測定精度を管理するための判定条件に係るパラメータの変更画面であり、前述した項目測定に係るパラメータ変更操作における図４の画面に相当する。図６には、パラメータを変更した箇所が強調表示２３ａされ、当該箇所にカーソル２２ｃを合わせた結果、ガイド画面２３ｂが表示されている。また、ガイド画面２３ｂには、図４に示す画面と同様、キャンセルボタン２２ｂを設けている。
【００２４】
以上の例に示すように、本発明により、分析装置において複数のパラメータを一つの操作画面に表示し変更する際に、操作性を損なうことなく、ユーザが変更箇所および変更内容を明確に認識することができる。
【符号の説明】
【００２５】
１：分析装置
１０：制御手段
１１：パラメータ保存部
１２：パラメータ記憶部
１３：パラメータ比較部
１５ａ：保存パラメータの表示指示
１５ｂ：入力（変更）したパラメータの受付
１５ｃ：パラメータの強調表示指示
１５ｄ：ガイド表示指示
１５ｅ：パラメータの取消指示
１５ｆ：パラメータ一括変更指示
２０：表示・入力手段
２１：入力部
２２：選択部
２２ａ：ＯＫボタン
２２ｂ：キャンセルボタン
２２ｃ：カーソル
２３：表示部
２３ａ：強調表示
２３ｂ：ガイド画面
２３ｃ：パラメータ一括変更画面
３０：測定手段
【図１】
2013148528.tif 000003
【図２】
2013148528.tif 000004
【図３】
2013148528.tif 000005
【図４】
2013148528.tif 000006
【図５】
2013148528.tif 000007
【図６】
2013148528.tif 000008